(57)【要約】【課題】粒状乾燥剤の取り出し作業あるいは交換作業を迅速に行うことができると共に、生花等の被乾燥物が乾燥状態で損傷するのを防止することができる乾燥容器を提供することにある。【解決手段】外容器１２を構成する外容器本体１４の内部に内容器１３を構成する内容器本体１６を収容する。内容器本体１６の内部に生花１８及び粒状乾燥剤１９を収容し、内容器本体１６の上端開口部を蓋１７を螺合することによって閉鎖する。外容器本体１４の上端開口部に蓋１５を螺合して外容器本体１４の内部を密閉状態に保持する。前記生花１８が粒状乾燥剤１９によって乾燥された後、蓋１５を開放するとともに、内容器１３の内容器本体１６を上方に持ち上げると、内容器本体１６の底板１６ｂに形成された小孔１６ｄから粒状乾燥剤１９が砂時計の砂のように緩やかに外部に排出されるので、内容器本体１６の内部に乾燥された生花１８が損傷されないまま残る。【選択図】　　　図１
2004026673.tif 000002
【特許請求の範囲】
【請求項１】
被乾燥物及び該被乾燥物を乾燥させるための粒状乾燥剤を収容する収納容器と、
上記収納容器に形成され、かつ前記粒状乾燥剤を外部に排出可能な小孔又は細幅のスリットと、
前記収納容器の内部に収容された被乾燥物及び粒状乾燥剤を密閉状態に保持するための密閉保持手段とにより構成された乾燥容器。
【請求項２】
請求項１において、前記小孔又はスリットは収納容器の底板に形成されている乾燥容器。
【請求項３】
請求項１又は２において、前記収納容器は密閉保持手段を構成する外容器の内部に収容されている乾燥容器。
【発明の詳細な説明】
【０００１】
【発明の属する技術分野】
本発明は、例えば生花や昆虫を原型のまま乾燥するための乾燥容器に関するものである。
【０００２】
【従来の技術】
一般に、生花や昆虫を原型のまま乾燥し、それらを例えば合成樹脂や透明容器の内部に包蔵して置物にする方法がある。生花等の被乾燥物を原形のまま乾燥する方法として、従来、容器内に生花を収容し、シリカゲル等の粒状乾燥剤を容器内に充填して乾燥剤中に生花を埋設し、容器の上端開口部を蓋により密閉し、数時間或いは数日間放置する方法がある。
【０００３】
【発明が解決しようとする課題】
ところが、上記従来の乾燥方法においては、容器の内部から粒状乾燥剤を取り出す際に、非常にデリケートな乾燥状態の生花を損傷する恐れがあった。容器内の粒状乾燥剤を取り出すには細心の注意を払って少しずつ例えばスプーン等で取り出さざるを得ず、従って、取り出し作業の時間が長くなるという問題があった。又、被乾燥物が大きい場合には、一回の乾燥工程では乾燥が不十分であるため、粒状乾燥剤を取り換える作業が行われるが、この取り換え作業も非常に面倒であった。
【０００４】
又、前記容器を傾斜させた状態で容器の上端開口部から粒状乾燥剤を外部に排出する方法も考えられる。しかし、この方法では容器の上端開口部から粒状乾燥剤が１度に外部に排出され易く、容器を傾ける関係でデリケートな乾燥状態の生花に粒状乾燥剤が強く作用して生花を損傷するという問題があった。
【０００５】
本発明は、上記従来の技術に存する問題点を解消して、粒状乾燥剤の取り出し作業あるいは交換作業を迅速に行うことができると共に、生花や昆虫等の被乾燥物が乾燥状態で損傷するのを防止することができる乾燥容器を提供することにある。
【０００６】
【課題を解決するための手段】
上記問題点を解決するために、請求項１に記載の発明は、被乾燥物及び該被乾燥物を乾燥させるための粒状乾燥剤を収容する収納容器と、上記収納容器に形成され、かつ前記粒状乾燥剤を外部に排出可能な小孔又は細幅のスリットと、前記収納容器の内部に収容された被乾燥物及び粒状乾燥剤を密閉状態に保持するための密閉保持手段とにより構成されたことを要旨とする。
【０００７】
請求項２に記載の発明は、請求項１において、前記小孔又はスリットは収納容器の底板に形成されていることを要旨とする。
請求項３に記載の発明は、請求項１又は２において、前記収納容器は密閉保持手段を構成する外容器の内部に収容されていることを要旨とする。
【０００８】
【発明の実施の形態】
以下、本発明を具体化した乾燥容器の一実施形態を図１〜図３に従って説明する。
【０００９】
図１に示すように、この発明の乾燥容器１１は、密閉保持手段としての外容器１２と、その内部に収容された収納容器としての内容器１３とにより構成されている。前記外容器１２は透明合成樹脂材料により形成された有底円筒状をなす外容器本体１４と、この外容器本体１４の上端開口部を密閉する同じく透明合成樹脂材料により形成された蓋１５とにより構成されている。外容器本体１４の上端外周部には雄ねじ部１４ａが形成され、この雄ねじ部１４ａに蓋１５の外周部に一体形成された円筒状部１５ａの内周面に形成された雌ねじ部１５ｂが螺合されている。外容器本体１４に蓋１５を螺合することによって外容器１２の内部が外気と遮断された密閉状態に保持される。
【００１０】
前記内容器１３は透明合成樹脂材料により形成された有底円筒状をなす内容器本体１６と、この内容器本体１６の上端開口部を閉塞する透明合成樹脂材料により形成された蓋１７とにより構成されている。内容器本体１６は、円筒部１６ａと、この円筒部１６ａの下端縁に一体形成された底板１６ｂとにより構成されている。円筒部１６ａの上端外周面には雄ねじ部１６ｃが形成され、この雄ねじ部１６ｃには、蓋１７の外周に一体形成された円筒状部１７ａの内周面の雌ねじ部１７ｂが螺合されている。前記内容器１３の内部には被乾燥物の収容室Ｒが形成され、この収容室Ｒの内部には例えば生花１８が収容されるようになっている。前記内容器本体１６の内部には前記生花１８を埋設するように例えばシリカゲル等の粒状乾燥剤１９が充填されている。
【００１１】
前記内容器本体１６の底板１６ｂには多数（例えば１０〜３０個）の小孔１６ｄが形成されている。この小孔１６ｄの直径は、前記粒状乾燥剤１９の粒径よりも大きく形成され、収容室Ｒ内に収容された粒状乾燥剤１９を外部に排出可能である。この小孔１６ｄは粒状乾燥剤１９の粒径によって所定の直径に設定される。例えば粒状乾燥剤１９の粒径が３０〜５００μである場合には、小孔１６ｄの直径は、１００〜１５００μに設定される。
【００１２】
次に、前記のように構成された乾燥容器１１の動作について説明する。
この乾燥容器１１を用いて例えば生花１８を乾燥させる場合には、外容器本体１４の蓋１５を取り外した状態で、同じく蓋１７を取り外した空の内容器本体１６を外容器本体１４の内部に収容する。次に、空の内容器本体１６の収容室Ｒに生花１８を収容するとともに、粒状乾燥剤１９を充填し、生花１８を粒状乾燥剤１９内に埋没させる。この状態で、内容器本体１６の上端開口部に蓋１７を螺合する。その後、外容器本体１４の上端開口部に蓋１５を螺合して、外容器１２の内部を密閉状態に保持する。
【００１３】
外容器１２内を密閉状態に保持した状態で、粒状乾燥剤１９の水分吸着作用により生花１８を乾燥させる。生花１８が所望する含水率以下に乾燥されたら、前記蓋１５を外容器本体１４の上端開口部から取り外し、内容器１３を指で上方へ持ち上げる。すると、図３に示すように内容器本体１６の収容室Ｒ内の粒状乾燥剤１９が内容器本体１６の小孔１６ｄから下方にあたかも砂時計の砂が落下するように外部に徐々に排出される。この結果、内容器本体１６の内部に収容された乾燥状態の生花１８は粒状乾燥剤１９がなくなることによって、粒状乾燥剤１９から分離された状態となる。なお、乾燥状態の生花は、例えば合成樹脂や透明容器の内部に包蔵して置物に用いられる。
【００１４】
上記実施形態の乾燥容器１１によれば、以下のような特徴を得ることができる。
（１）上記実施形態では、内容器本体１６の底板１６ｂに小孔１６ｄを形成し、収容室Ｒ内部の粒状乾燥剤１９を下方に流下するようにした。このため、収容室Ｒ内部の粒状乾燥剤１９を適当な速度で簡単に外部に排出することができ、粒状乾燥剤１９の排出作業を迅速に行うことができるとともに、乾燥状態の生花１８が損傷されるのを未然に防止することができる。
【００１５】
（２）上記実施形態では、内容器１３の密閉保持手段として外容器１２を用いたので、密閉保持手段の構成を簡素化して、製造容易に行うことができるとともに、密閉状態の解除動作を容易に行うことができる。
【００１６】
（３）上記実施形態では、内容器本体１６の底板１６ｂに小孔１６ｄを形成したので、収容室Ｒ内の粒状乾燥剤１９を収容室Ｒの底部から外部に排出することができ、このため粒状乾燥剤の外容器本体１４内への排出を確実に行うことができる。
【００１７】
なお、本実施形態は以下のように変更してもよい。
○　図４に示す別例は、内容器本体１６の円筒部１６ａにも小孔１６ｄを形成している。内容器本体１６を有底円筒状をなす遮蔽容器２１によって被覆し、円筒部１６ａに設けた小孔１６ｄから粒状乾燥剤１９が排出されないようにしている。この別例においては内容器本体１６の上端開口縁に形成したフランジ部１６ｅを持ち上げて、遮蔽容器２１から内容器本体１６を取り出すと、内容器本体１６の底板１６ｂ及び円筒部１６ａの小孔１６ｄから粒状乾燥剤１９が外部に排出されるので、粒状乾燥剤１９の排出作業をさらに迅速に行うことができる。
【００１８】
○　図５に示す別例は、内容器本体１６の底板１６ｂの下面に対し小孔１６ｄを密封遮蔽するための粘着テープ２２を接着し、円筒部１６ａの外周面にも小孔１６ｄを密封遮蔽するための粘着テープ２３を接着している。又、この別例においては、前記蓋１７が前記粘着テープ２２とともに収容室Ｒ内の密閉保持手段を構成する。
【００１９】
○　図６に示す別例は、生花１８及び粒状乾燥剤１９を収容する乾燥容器を球形にしたものである。下部容器２３の上端外周部には雄ネジ部２３ａが形成され、上部容器２４の下端内周部には前記雄ネジ部２３ａに螺合される雌ネジ部２４ａが形成されている。下部容器２３には小孔２３ｂが形成されている。下部容器２３の外周面は半球状の遮蔽容器２５によって遮蔽されている。この収納容器は、図示しないが例えば前記外容器１２内に収容することもできるが、遮蔽容器２５により小孔２３ｂが遮蔽できれば外容器１２は不要である。
【００２０】
○　図示しないが、前記小孔１６ｄに代えて、例えば小幅のスリットを形成してもよい。
○　図１〜図３に示す実施形態において、内容器本体１６に代えて例えば金網あるいは樹脂網よりなる内容器本体１６を用いたり、内容器本体１６の底部を開口して、その開口を網により閉鎖したりしてもよい。又、図４及び図５に示す別例において、内容器本体１６の円筒部１６ａ及び／又は底板１６ｂを網に代えてもよい。この網の目の大きさは、前記小孔１６ｄの大きさと同じに設定してもよく、粒状乾燥剤が急激に排出されないように粒状乾燥剤の粒径を考慮して設定される。
【００２１】
○　前記底板１６ｂに形成した小孔１６ｄの形状は、図１では円筒状に形成されているが、粒状乾燥剤１９が外部に排出されやすいように、小孔１６ｄの縦断面が上下方向の中心ほど互いに接近する円弧状に形成してもよい。又、円筒部１６ａに設けた小孔１６ｄは外側ほど下になるように傾斜してもよい。
【００２２】
○　前記蓋１７に小孔を形成してもよい。
次に、上記実施形態及び別例から把握できる技術的思想について、それらの効果とともに以下に追記する。
【００２３】
（技術思想１）　請求項１において、前記収納容器は中空球形状に形成されている乾燥容器。
この乾燥容器においては、被乾燥物が球形状又はそれに近似した形状である場合に有効となる。
【００２４】
（技術思想２）　請求項１〜３のいずれか１項又は技術思想１において、前記収納容器及び密閉保持手段は透明合成樹脂材料により構成されている乾燥容器。この乾燥容器においては、粒状乾燥剤の変化を外部から確認することができ、粒状乾燥剤に埋没された被乾燥物の乾燥状態を推定することができる。
【００２５】
（技術思想３）　請求項３において、前記外容器及び収納容器は、それぞれ有底筒状に形成され、外容器の上端外周部には雄ねじ部が形成され、該雄ねじ部に蓋が螺合されている乾燥容器。
【００２６】
（技術思想４）　請求項１又は２において、前記密閉保持手段は、収納容器の上端開口部を密閉する蓋と、小孔又はスリットを閉鎖するように収納容器の外表面に接着された粘着テープとにより構成されている乾燥容器。
【００２７】
（技術思想５）　請求項１又は２、技術思想１〜３のいずれか一つにおいて、前記密閉保持手段は、収納容器の外表面に嵌合された遮蔽容器である乾燥容器。（定義）　この明細書において、収納容器に形成された小孔とは、小孔１６ｄ以外に網の目孔も含み、その形状は、円形、三角形、四角形、五角形以上の多角形、あるいは桜花等の任意の形状のものも含むものとする。
【００２８】
【発明の効果】
以上詳述したように、この発明は粒状乾燥剤の取り出し作業あるいは交換作業を迅速に行うことができると共に、生花や昆虫等の被乾燥物が乾燥状態で損傷するのを防止することができる。
【図面の簡単な説明】
【図１】この発明を具体化した乾燥容器の一実施形態を示す縦断面図。
【図２】上記乾燥容器の平断面図。
【図３】乾燥容器の内部から粒状乾燥剤を排出する動作を示す縦断面図。
【図４】この発明の別例を示す乾燥容器の縦断面図。
【図５】この発明の別例を示す乾燥容器の縦断面図。
【図６】この発明の別例を示す乾燥容器の縦断面図。
【符号の説明】
１２…外容器、１４ａ，１６ｃ…雄ねじ部、１５，１７…蓋、１６ｂ…底板、１６ｄ…小孔。
【図１】
2004026673.tif 000003
【図２】
2004026673.tif 000004
【図３】
2004026673.tif 000005
【図４】
2004026673.tif 000006
【図５】
2004026673.tif 000007
【図６】
2004026673.tif 000008